(57)【要約】【課題】空気調和機で使用される空気浄化ユニットにおいて、保持ユニットにフィルターユニットを挿入するときにフィルターユニットが正しく挿入されることが目視確認できる空気浄化ユニットを提供することを目的としている。【解決手段】保持ユニット４は蓋部２と受部３を重ねた構成を有し、蓋部２は吸気口として格子８を形成し、受部３は蓋部２の格子８と重合するように開口する格子９を形成し、保持ユニット４の蓋部２の格子８および受部３の格子９に重合する形状の格子１２をフィルターフレーム５が有することで、フィルターユニット７が正しい位置に挿入されることを目視確認できる空気浄化ユニットが得られる。【選択図】図１
2006159103.tif 000002
【特許請求の範囲】
【請求項１】
直交する格子を備えた蓋部と受部とを重ね合わせた横長形状の保持ユニットと、この保持ユニットに設けた挿入口から着脱可能に収納されるフィルターユニットを有し、このフィルターユニットは透視可能なハニカムフィルターとこのハニカムフィルターを支持する格子を備えたフィルターフレームから成り、前記保持ユニットの蓋部および受部の格子の全部または一部に、前記フィルターフレームの格子が重なる形状とした空気浄化ユニット。
【請求項２】
ハニカムフィルターの上流側に超音波を供給する超音波ユニットを設け、保持ユニットの蓋部の断面を湾曲形状とした請求項１記載の空気浄化ユニット。
【請求項３】
保持ユニットの受部はフィルターフレームを支持するスライド面を備え、保持ユニットの蓋部は前記フィルターフレームに収納されるハニカムフィルターとの間に空間部を有してなる請求項１記載の空気浄化ユニット。
【請求項４】
保持ユニットの受部の奥行寸法に対して、蓋部の奥行寸法を長くすることにより、フィルターユニットの挿入口が斜め下方向に向くともに、挿入口の開口高さが大となる請求項１記載の空気浄化ユニット。
【請求項５】
フィルターフレームはハニカムフィルターを囲む外周リブと、前記ハニカムフィルターの両端を固定する爪を設け、前記爪より先端にある先端側外周リブの高さを低くした請求項３また４記載の空気浄化ユニット。
【請求項６】
保持ユニットの受部に、傾斜した挿入口に対応する傾斜リブを設けてなる請求項４記載の空気浄化ユニット。
【請求項７】
保持ユニットの受部の傾斜リブは、奥側の先端部分で急な傾斜リブを有し、蓋部の先端に設けた先端リブとの間でフィルターユニットの先端部を挟む構成とした請求項６記載の空気浄化ユニット。
【請求項８】
フィルターフレームの取手側の下部に凸部を形成し、この凸部を含むフィルターユニットを保持ユニットの受部と蓋部の間で挟む構成とした請求項６記載の空気浄化ユニット。
【発明の詳細な説明】
【技術分野】
【０００１】
本発明は、空気調和機等の空気流路に設け、空気調和される空気中に含まれる粉塵を除去し、空気を清浄にする空気浄化ユニットに関する。
【背景技術】
【０００２】
従来、この種の空気浄化ユニットの一例として、保持ユニットと集塵ユニットから成る電気集塵ユニットが知られている（例えば、特許文献１参照）。
【０００３】
以下、その電気集塵ユニットについて図１０を参照しながら説明する。
【０００４】
図に示すように、集塵ユニット１０１と保持ユニット１０８は異なる形状の格子を有し、集塵ユニット１０１は吸気グリル部１０２とフィルターフレーム１０６とフィルター１０５で構成され、保持ユニット１０８はフィルターカバー１０７を有し、集塵ユニット１０１を保持ユニット１０８に装着して空気浄化ユニットを構成している。
【０００５】
また、従来の空気浄化ユニットの一例として音波発生手段を設けた電気集塵装置が知られている（例えば、特許文献２参照）。
【０００６】
以下、その電気集塵ユニットについて図１１を参照しながら説明する。
【０００７】
図に示すように、放電電極１１０を収納した集塵ユニット箱体１１１の側面部１１２に音波発生手段１１３を設け、集塵フィルター１１４は集塵ユニット１１５の送風方向の最下流部側に設け、対向電極１１６は接地して構成している。
【０００８】
また、従来のフィルターフレームの一例としてフィルターの固定手段を設けたフィルターフレームが知られている（例えば、特許文献３参照）。
【０００９】
以下、そのフィルターフレームについて図１２を参照しながら説明する。
【００１０】
図に示すように、枠体１２１は、フィルター部材１１７の側縁部を囲む枠部１１８と、フィルター部材の一端面を支持するフィルター支持体１１９と、枠部のフィルター部材側に形成される断面略コ字状のフィルター嵌合部１２０とから構成され、フィルター部材１１７を所定の位置に保持するものである。
【特許文献１】特開２００３−１０７３１号公報（［００１４］、図１、図３、図１１）
【特許文献２】特開２００３−１０３１９６号公報（［００１６］、図２）
【特許文献３】特開平７−７７３５２号公報（［００１３］、図１〜図４）
【発明の開示】
【発明が解決しようとする課題】
【００１１】
このような従来の電気集塵ユニットでは、保持ユニットへの、フィルターユニットの挿入前および挿入後の取付状態を目視確認が充分にできないという課題があり、フィルターユニットを挿入するときと挿入後に取付位置が目視で確認できることが要求されている。
【００１２】
また従来の他の電気集装置は、フィルターの前方領域に音波を照射することにより凝集作用を促進して集塵を行うが、音波が外部に放出してしまうという課題があり、音波を外部に逃げにくい構造の空気浄化ユニットが要求されている。
【００１３】
また従来のフィルターフレームでは、フィルター側縁部を囲む外部リブの高さが一定であるため、フィルターフレーム挿入時に先端側が引っ掛かり挿入しにくいという課題があり、挿入性が向上するような構造のフィルターフレームが要求されている。
【００１４】
また、空気調和機の運転に伴いフィルターフレームが共振して騒音を発生するという課題があり、フィルターフレームが共振しない確実な取付構造が要求されている。
【００１５】
本発明は、このような従来の課題を解決するもので、フィルターユニットを挿入するときと挿入後において、挿入前および挿入後の位置関係が目視確認でき、音波を外部に逃げないようにして空気浄化効率を向上し、フィルターユニットの着脱時の操作性を改善し、共振による騒音を発生しないよう確実に着脱できる空気浄化ユニットを提供することを目的としている。
【課題を解決するための手段】
【００１６】
本発明の空気浄化ユニットは上記目的を達成するために、直交する格子を備えた蓋部と受部とを重ね合わせた横長形状の保持ユニットと、この保持ユニットに設けた挿入口から着脱可能に収納されるフィルターユニットを有し、このフィルターユニットは透視可能なハニカムフィルターとこのハニカムフィルターを支持する格子を備えたフィルターフレームから成り、前記保持ユニットの蓋部および受部の格子の全部または一部に、前記フィルターフレームの格子が重なる形状とした構成としている。
【００１７】
この手段により、フィルターユニットを挿入するときと挿入後において、挿入前および挿入後の位置関係が目視確認でき空気浄化ユニットが得られる。
【００１８】
また、他の手段は、ハニカムフィルターの上流側に超音波を供給する超音波ユニットを設け、保持ユニットの蓋部の断面を湾曲形状とした構成とする。
【００１９】
この手段により、音波を外部に逃げないようにして空気浄化効率を向上できる空気浄化ユニットが得られる。
【００２０】
また、他の手段は、保持ユニットの受部はフィルターフレームを支持するスライド面を備え、保持ユニットの蓋部は前記フィルターフレームに収納されるハニカムフィルターとの間に空間部を有する構成とする。
【００２１】
この手段により、フィルターユニットの着脱時の操作性を改善できる空気浄化ユニットが得られる。
【００２２】
また、他の手段は、保持ユニットの受部の奥行寸法に対して、蓋部の奥行寸法を長くすることにより、フィルターユニットの挿入口が斜め下方向に向くともに、挿入口の開口高さが大となる構成とする。
【００２３】
この手段により、フィルターユニットの着脱時の操作性を改善できる空気浄化ユニットが得られる。
【００２４】
また、他の手段は、フィルターフレームはハニカムフィルターを囲む外周リブと、前記ハニカムフィルターの両端を固定する爪を設け、前記爪より先端にある先端側外周リブの高さを低くした構成とする。
【００２５】
この手段により、フィルターユニットの着脱時の操作性を改善できる空気浄化ユニットが得られる。
【００２６】
また、他の手段は、保持ユニットの受部に、傾斜した挿入口に対応する傾斜リブを設けた構成とする。
【００２７】
この手段により、フィルターユニットの着脱時の操作性を改善できる空気浄化ユニットが得られる。
【００２８】
また、他の手段は、保持ユニットの受部の傾斜リブは、奥側の先端部分で急な傾斜リブを有し、蓋部の先端に設けた先端リブとの間でフィルターユニットの先端部を挟む構成とした構成とする。
【００２９】
この手段により、フィルターユニットの着脱時の操作性を改善でき、共振による騒音を発生しないよう確実に着脱できる空気浄化ユニットが得られる。
【００３０】
また、他の手段は、フィルターフレームの取手側の下部に凸部を形成し、この凸部を含むフィルターユニットを保持ユニットの受部と蓋部の間で挟む構成とする。
【００３１】
この手段により、フィルターユニットの着脱時の操作性を改善でき、共振による騒音を発生しないよう確実に着脱できる空気浄化ユニットが得られる。
【発明の効果】
【００３２】
本発明によれば、フィルターユニットが完全に挿入されたことが目視で容易に確認でき、格子による風の抵抗増加を抑制する効果のある空気浄化ユニットを提供できる。
【００３３】
また、粉塵を凝集させる効果を高めて集塵性能を向上することができる効果のある空気浄化ユニットを提供できる。
【００３４】
また、フィルターユニット挿入時および挿入中の操作性を向上することができる。
【００３５】
また、空気浄化ユニットの振動によるハニカムフィルターのガタを抑制することができる。
【発明を実施するための最良の形態】
【００３６】
本発明の請求項１記載の発明は、直交する格子を備えた蓋部と受部とを重ね合わせた横長形状の保持ユニットと、この保持ユニットに設けた挿入口から着脱可能に収納されるフィルターユニットを有し、このフィルターユニットは透視可能なハニカムフィルターとこのハニカムフィルターを支持する格子を備えたフィルターフレームから成り、前記保持ユニットの蓋部および受部の格子の全部または一部に、前記フィルターフレームの格子が重なる形状としたものであり、保持ユニットの挿入口をからフィルターユニットを挿入するとき、フィルターユニットに収納されたハニカムフィルターを通してフィルターフレームの格子が透視できるので、保持ユニットの縦格子に位置を合わせながら挿入でき、次にフィルターフレームの横長格子を保持ユニットの横長格子に位置合わせすることにより、確実に収納できたことを目視確認できるという作用を有する。
【００３７】
また、請求項２記載の発明は、ハニカムフィルターの上流側に超音波を供給する超音波ユニットを設け、保持ユニットの蓋部の断面を湾曲形状としたしたものであり、超音波ユニットから発信された超音波は、湾曲形状の蓋部の内側に反射されて進行角度を変えつつ内部に集められ、空中粉塵の凝集力を高めるという作用を有する。
【００３８】
また、請求項３記載の発明は、保持ユニットの受部はフィルターフレームを支持するスライド面を備え、保持ユニットの蓋部は前記フィルターフレームに収納されるハニカムフィルターとの間に空間部を有したものであり、フィルターフレームは受部のスライド面と接触しながら移動させることができ、フィルターフレームに収納されるハニカムフィルターの前面に蓋部の空間部が設けられるため、挿入時にはハニカムフィルターの表面を傷つけず、引き出すときは付着した粉塵を保持した状態で取り扱うことができるという作用を有す。
【００３９】
また、請求項４記載の発明は、保持ユニットの受部の奥行寸法に対して、蓋部の奥行寸法を長くすることにより、フィルターユニットの挿入口が斜め下方向に向くともに、挿入口の開口高さが大としたものであり、保持ユニットの挿入口が広くなるので、フィルターユニット挿入時の操作性が良くなるとともに、保持ユニットの正面からの外観が変わらず、デザイン性を損なわないという作用を有する。
【００４０】
また、請求項５記載の発明は、フィルターフレームはハニカムフィルターを囲む外周リブと、前記ハニカムフィルターの両端を固定する爪を設け、前記爪より先端にある先端側外周リブの高さを低くしたものであり、フィルターユニット挿入時にフィルターフレームの先端側外周リブが保持ユニットの挿入口に接触せず、挿入時の操作性が向上できるという作用を有する。
【００４１】
また、請求項６記載の発明は、保持ユニットの受部に、傾斜した挿入口に対応する傾斜リブを設けたものであり、保持ユニットの斜め下方向の挿入口に合わせた方向でフィルターユニットを挿入できるとともに、風向に対してハニカムフィルターを傾けて配することができるため、浮遊粉塵のろ材への衝突面積を大きくでき、集塵効率を高めるという作用を有する。
【００４２】
また、請求項７記載の発明は、保持ユニットの受部の傾斜リブは、奥側の先端部分で急な傾斜リブを有し、蓋部の先端に設けた先端リブとの間でフィルターユニットの先端部を挟む構成としたものであり、フィルターユニット先端の固定を確実にして振動によるハニカムフィルターの外れや位置ずれを抑制するという作用を有する。
【００４３】
また、請求項８記載の発明は、フィルターフレームの取手側の下部に凸部を形成し、この凸部を含むフィルターユニットを保持ユニットの受部と蓋部の間で挟む構成としたものであり、保持ユニットにフィルターユニットがほぼ収納されるときに、凸部が保持ユニットの受部に乗り上げるようにして挟持されるので、収納が完了したことを実感できるとともに、ハニカムフィルターの固定を確実にして振動によるフィルターユニットのがたつきや外れを防止することができるという作用を有する。
【００４４】
以下、本発明の実施の形態について図面を参照しながら説明する。
【００４５】
（実施の形態１）
図１〜図６に示すように、保持ユニット４は断面が凸状に湾曲した格子８を備えた蓋部２と、平板状の格子９を備えた受部３を有し、長手方向の一端に電装品収納部１０を形成している。受部３の格子９は蓋部２の格子８と重合する形状を有している。保持ユニット４に着脱自在に設けられるフィルターユニット７は、フィルターユニット７挿入後の状態で、保持ユニット４の蓋部２の格子８および受部３の格子９の少なくとも一部に重合する格子１２を有するフィルターフレーム５と、ハニカム形状で通気孔１５を通してフィルターフレーム５の格子形状を確認できるハニカムフィルター６から構成されている。フィルターユニット７は、保持ユニット４の挿入口１６を通して空間部２６に着脱自在に収納できるものである。
【００４６】
また、超音波ユニット１１を保持ユニット４の一端に設けた電装品収納部１０に収納し、蓋部２はハニカムフィルター６をドーム状に囲むようになだらかに湾曲している。
【００４７】
また、蓋部２および受部３の奥行寸法差を設けて、保持ユニット４の前面にフィルターユニット７の挿入口１６を傾斜した方向に開口するとともに、挿入口１６の開口高さが大なる形状としている。
【００４８】
上記構成において、空気調和機（図示せず）に装着された保持ユニット４にフィルターユニット７を取り付けた状態で運転すると、保持ユニット４に設けた超音波ユニット１１からハニカムフィルター６上に供給された超音波がドーム状の曲壁２１によって内側に反射されて外部に逃げにくくなり、空気中に含まれる粉塵を凝集させる効果が高まり集塵性能を向上することができる。
【００４９】
次に、フィルターユニット７を保持ユニット４に装着するときは、図４に示すようにフィルターフレーム５の縦格子１２ａを保持ユニット４の縦格子８ａの位置に合わせるようにして挿入口１６から容易に挿入することができるので、フィルターユニット７挿入時のガイドラインとしての役割を果たす。また、フィルターフレーム５の横長格子１２ｂが保持ユニット４の横長格子８ｂと重合したときにフィルターユニット７が完全に挿入されたことが目視で容易に確認できる。また、それぞれの格子が重合することにより風の抵抗を抑制することができるために風量低下を防ぎ、集塵性能を向上することができる。
【００５０】
また、蓋部２にはフィルターユニット７との間に空間部２６を有しており、フィルターフレーム５は受部３のスライド面２７と接触しながら挿入できるのでハニカムフィルター６の表面を傷つけることなく装着することができ、フィルター性能を維持することができる。
【００５１】
なお、本実施の形態ではハニカムフィルターを用いているが、通気孔を有しフィルター下流側の格子形状を目視できるコルゲーション形状のフィルターとしても良い。
【００５２】
（実施の形態２）
図７〜図９に示すように、保持ユニットの受部３の取手５ａ側を奥に入り込むように、蓋部２に対して奥行寸法を隙間２５だけ短くすることにより、フィルターユニット７の挿入口１６が斜め下方向に開口し、開口面積を広くしている。また、フィルターフレーム５はハニカムフィルター６を囲む外側リブ１４と、ハニカムフィルター６の両端を固定する爪１３を設け、爪１３より先端側の先端側外周リブ１４ａの高さを低くした構成とする。また、保持ユニット４の受部３に傾斜リブ１７を設け、挿入口１６から挿入されたフィルターユニット７が、斜め下方から傾斜リブ１７に沿わせて入りやすい構成としている。さらに受部３の傾斜リブ１７に先端部で急な傾斜リブ１８を設けることにより、蓋部２の先端部に設けた先端リブ２０との間にフィルターユニット７を挟み込む構成としている。また、フィルターフレーム５の取手５ａ側の下部に凸部２２を設け、フィルターユニット７を挿入するときに凸部２２が受部３の傾斜リブ１７に乗り上げて上方へ移動することで、蓋部２の後端リブリブ１９との間に挟まれる構成としている。
【００５３】
上記構成において、フィルターユニット７の挿入口１６の高さ方向を大きくして、開口面積を広くすることで、フィルターユニット７挿入時の操作性を向上することができる。
【００５４】
また、フィルターフレーム５の爪１３より先端側の先端側外周リブ１４ａの高さを低くすることで、挿入時にフィルターフレーム５の先端側の先端側外周リブ１４ａがフィルターユニット７の挿入口１６に接触しにくくなることで、挿入時の操作性を向上することができる。
【００５５】
また、保持ユニット４の受部３に設けた傾斜リブ１７に沿ってフィルターユニット７を斜め下方から挿入可能とすることで、広くした挿入口１６から挿入方向を合わせて収納できるので、フィルターユニット７の挿入持の操作性を良好にすることができる。さらに、風向に対してハニカムフィルター６を傾けて配することができるため空気中の粉塵のろ材への衝突面積を大きくでき、集塵効率を高めることができる。
【００５６】
また、保持ユニット４の受部３の傾斜リブ１７を奥側の先端で傾斜角度を大きくした急な傾斜リブ１８を形成しているので、フィルターユニット７は蓋部２の奥側の先端に設けた先端リブ２０とで挟み込まれて確実に固定されるとともに、振動による外れや位置ずれを抑制することができる。
【００５７】
また、フィルターユニット７を挿入するとき、取手５ａ側の下部に設けた凸部２２が受部３の傾斜リブ１７に乗って上方へ移動されるので、収納操作が完了したことを実感できるとともに、傾斜リブ１７と蓋部２の後端リブ１９とで挟持されるので、フィルターユニット７の固定を確実にするとともに、振動によるガタつきや外れを防止することができる。
【００５８】
なお、本実施の形態では、フィルターフレーム５の先端側外周リブ１４ａの高さを全て低くしているが、先端側外周リブ１４ａの両端側のみを低くして、ハニカムフィルター６を保護するようにしてもよい。
【００５９】
また、ハニカムフィルター６を引っ掛けるためにフィルターフレーム５に設けた爪１３は、左右ではなく前後に設けても同様な作用効果をもたらすことはいうまでもない。
【産業上の利用可能性】
【００６０】
換気扇などの他の空調機器に設けられる引き出しタイプのフィルターユニットを形成し、フィルターフレームの開口部となる格子形状を空調機器の給気口となる格子形状と重合させることにより、フィルターユニットの着脱作業を目視で確実に行う用途にも適用できる。
【図面の簡単な説明】
【００６１】
【図１】本発明の実施の形態１の空気浄化ユニットの正面図
【図２】（イ）同空気浄化ユニットの保持ユニットの正面図（ロ）同空気浄化ユニットのフィルターユニットの正面図
【図３】同空気浄化ユニットの保持ユニットの背面図
【図４】同空気浄化ユニットのフィルターユニット挿入前の斜視図
【図５】同空気浄化ユニットのフィルターフレームの正面図
【図６】同空気浄化ユニットのハニカムフィルターの正面図
【図７】同空気浄化ユニットのフィルターフレームの要部斜視図
【図８】本発明の実施の形態２の空気浄化ユニットの断面図
【図９】同空気浄化ユニットのフィルターユニット挿入前の一部断面の斜視図
【図１０】（イ）従来の空気浄化ユニットのフィルターユニットの断面図（ロ）同フィルターユニットの正面図（ハ）同保持ユニットの正面図
【図１１】他の従来の空気浄化ユニットの分解斜視図
【図１２】他の従来の空気浄化ユニットのフィルターユニットの分解斜視図
【符号の説明】
【００６２】
２      蓋部
３      受部
４      保持ユニット
５      フィルターフレーム
６      ハニカムフィルター
７      フィルターユニット
８      格子
８ａ    縦格子（格子）
８ｂ    横長格子（格子）
９      格子
９ａ    縦格子（格子）
９ｂ    横長格子（格子）
１１    超音波ユニット
１２    格子
１２ａ  縦格子（格子）
１２ｂ  横長格子（格子）
１３    爪
１４    外周リブ
１４ａ  先端側外周リブ
１６    挿入口
１７    傾斜リブ
１８    急な傾斜リブ
２０    先端リブ
２２    凸部
２６    空間部
２７    スライド面
【図１】
2006159103.tif 000003
【図２】
2006159103.tif 000004
【図３】
2006159103.tif 000005
【図４】
2006159103.tif 000006
【図５】
2006159103.tif 000007
【図６】
2006159103.tif 000008
【図７】
2006159103.tif 000009
【図８】
2006159103.tif 000010
【図９】
2006159103.tif 000011
【図１０】
2006159103.tif 000012
【図１１】
2006159103.tif 000013
【図１２】
2006159103.tif 000014